(57)【要約】【課題】設計から要求される寸法の基礎梁を自由に選択して使用することができ、低コストで容易に製作でき、しかも仮設的用途に転用するのも容易な波鋼板壁用基礎を提供すること。【解決手段】基礎梁と、該基礎梁の両側部に配置された複数本の連結部材とを備え、該連結部材は、該基礎梁に略直交した状態で連結・固定された第一取付部と、該基礎梁から突出した部分であって該第一取付部から該基礎梁の内側に向けて折曲形成された傾斜部と、該傾斜部の先に折曲形成された第二取付部とからなり、該基礎梁の一方の側部に沿って配置された複数本の連結部材の第二取付部をつなげてできる面と、該基礎梁の他方の側部に沿って配置された複数本の連結部材の第二取付部をつなげてできる面の間隔は、壁として使用される波鋼板の波の高さと略等しくなっている。【選択図】          図１
2004225238.tif 000002
【特許請求の範囲】
【請求項１】
基礎梁と、該基礎梁の上に立設された波鋼板と、該基礎梁の両側部に配置され、該波鋼板を支えている複数本の連結部材とを備えてなる波鋼板壁用基礎。
【請求項２】
基礎梁と、該基礎梁の両側部に配置された複数本の連結部材とを備え、該連結部材は、該基礎梁に略直交した状態で連結・固定された第一取付部と、該基礎梁から突出した部分であって該第一取付部から該基礎梁の内側に向けて折曲形成された傾斜部と、該傾斜部の先に折曲形成された第二取付部とからなり、該基礎梁の一方の側部に沿って配置された複数本の連結部材の第二取付部をつなげてできる面と、該基礎梁の他方の側部に沿って配置された複数本の連結部材の第二取付部をつなげてできる面の間隔は、壁として使用される波鋼板の波の高さと略等しくなっていることを特徴とする波鋼板壁用基礎。
【請求項３】
前記基礎梁が略水平に設けられ、複数本の連結部材が該基礎梁の両側部に交互に千鳥状に配置され、該基礎梁の上に波鋼板が該基礎梁に沿って略垂直に設けられ、該波鋼板の山部であって該波鋼板の端部近傍に前記連結部材の第二取付部が連結・固定されていることを特徴とする請求項１又は２に記載の波鋼板壁用基礎。
【請求項４】
前記連結部材の第一取付部と該第二取付部が略平行になっていることを特徴とする請求項１〜３のいずれかに記載の波鋼板壁用基礎。
【請求項５】
前記基礎梁がＨ形鋼からなり、前記連結部材の第一取付部と該Ｈ形鋼のウエブとがスチフナーを介して連結されていることを特徴とする請求項１〜４のいずれかに記載の波鋼板壁用基礎。
【請求項６】
前記基礎梁がＨ形鋼からなり、該Ｈ形鋼のウエブの両側の空間にコンクリートが充填されていることを特徴とする請求項１〜５のいずれかに記載の波鋼板壁用基礎。
【請求項７】
前記基礎梁が基礎にアンカーボルトで固定されていることを特徴とする請求項１〜６のいずれかに記載の波鋼板壁用基礎。
【発明の詳細な説明】
【０００１】
【発明の属する技術分野】
この発明は建築物の壁やアーチシェルドームの壁を形成しているデッキプレート等の波鋼板の下端部近傍を支えている波鋼板壁用基礎に関するものである。
【０００２】
【従来の技術】
建築物の壁やアーチシェルドームの壁を形成している波鋼板の下端部近傍を支えている波鋼板壁用基礎としては、例えば、図６〜図１１に示すようなものがすでに多数提案されている。
【０００３】
図６に示す例の波鋼板壁用基礎は、建築物等の周囲に沿って略水平に設けられた基礎梁１０と、基礎梁１０の上に基礎梁１０に沿って略垂直に設けられた波鋼板１４と、波鋼板１４と重なる波形状の連結鋼板３２とからなる。
【０００４】
基礎梁１０としてはＨ形鋼が使用され、波鋼板１４としては、例えばデッキプレート（ＪＩＳ  Ｇ  ３３５２）が使用されている。連結鋼板３２の下端縁は基礎梁１０の上フランジに表側及び裏側から全て連続溶接され、波鋼板１４と連結鋼板３２はボルト・ナット又はリベットにて多数箇所が連結・固定されている。
【０００５】
図７〜図９に示す例の波鋼板壁用基礎は、建築物等の周囲に沿って略水平に設けられたコンクリート基礎３４と、コンクリート基礎３４の上部に埋め込まれた基礎部材３６と、基礎部材３６に下端部近傍を挟まれた状態で略垂直に設けられた波鋼板１４とからなる。
【０００６】
基礎部材３６は、所定間隔をおいて上下に配列された２列の間隔部材３８と、間隔部材３８を介して千鳥状に配置された複数本の連結部材１６とからなる。間隔部材３８の幅は波鋼板１４の波の高さと略等しい。連結部材１６及び間隔部材３８としては溝形鋼が使用されている。連結部材１６は開口部を外側に向けて千鳥状に設けられ、間隔部材３８は開口部を下方に向けて設けられている。連結部材１６及び間隔部材３８は溶接にて連結一体化されている。
【０００７】
波鋼板１４としては、例えばデッキプレートが使用され、波鋼板１４の下端部は間隔部材３８の上に位置し、連結部材１６の間に挟まれ、波鋼板１４と連結部材１６とはボルト・ナット又はリベットにて多数箇所が連結・固定されている。
【０００８】
図１０及び図１１に示す例の波鋼板壁用基礎は、建築物等の周囲に沿って略水平に設けられた基礎梁１０と、基礎梁１０の上に千鳥状に立設された複数本の取付部材４０と、取付部材４０に下端部近傍を挟まれた状態で略垂直に設けられた波鋼板（図示せず）とからなる。
【０００９】
取付部材４０は溝形鋼からなり、基礎梁１０の上フランジに下端部を溶接された状態で固着されている。基礎梁１０のウエブの脇にはスチフナー２８が取り付けられ、スチフナー２８は先端部が基礎梁１０の上フランジを貫通して取付部材４０に溶接され、取付部材４０はスチフナー２８によって補強されている。
【００１０】
波鋼板１４としては、例えばデッキプレートが使用され、波鋼板１４の下端部は取付部材４０にボルト・ナット又はリベットで連結・固定されている。
【００１１】
【発明が解決しようとする課題】
しかし、図６に示す例の場合、基礎梁１０に連結鋼板３２を取り付ける方法として溶接を用いているが、溶接の熱で連結鋼板３２の断面が変形してしまい、波鋼板１４との重なりが悪くなり、波鋼板１４と連結鋼板３２との間で連結が不完全な部分を生ずることが有る。
【００１２】
また、この例の場合、波鋼板１４の断面に作用する応力を基礎梁１０に伝えるためには連結鋼板３２の断面全周を表側及び裏側から全て溶接しなければならないが、このような溶接をするのは非常に面倒で、手間がかかる。
【００１３】
また、図７〜図９に示す例の場合、基礎ユニットをコンクリートに埋めることを前提としているので、仮設的用途に転用するのが困難であった。
【００１４】
また、図１０、図１１に示す例の場合、基礎梁１０に取付部材４０を取り付ける方法として溶接を用いているが、取付部材４０の端部を表側及び裏側から全周溶接しなければならないが、このような溶接をするのは非常に面倒で、手間がかかる。
【００１５】
また、従来の基礎構造は、幅の広い基礎梁の使用が難しかったので、壁部材と基礎梁が直線状に結合した構造になり、従って、横応力に対して弱くなり易かった。
【００１６】
この発明は、波鋼板と連結部材との間で不完全な連結を生ずることがなく、溶接をするのが容易な、仮設的用途に転用するのが容易にでき、横方向の応力にも充分対抗できる波鋼板壁用基礎を提供することを目的とする。
【００１７】
【課題を解決するための手段】
この発明に係る波鋼板壁用基礎は、基礎梁と、該基礎梁の両側部に配置された複数本の連結部材とを備えているものである。
【００１８】
該連結部材は、該基礎梁に略直交した状態で連結・固定された第一取付部と、該基礎梁から突出した部分であって該第一取付部から該基礎梁の上方内側に向けて折曲形成された傾斜部と、該傾斜部の先に折曲形成された第二取付部とからなる。
【００１９】
該基礎梁の一方の側部に沿って配置された複数本の連結部材の第二取付部をつなげてできる面と、該基礎梁の他方の側部に沿って配置された複数本の連結部材の第二取付部をつなげてできる面の間隔は、壁として使用される波鋼板の波の高さと略等しくなっている。
【００２０】
前記基礎梁は略水平に設けられ、前記連結部材が該基礎梁の両側部に沿って交互に千鳥状に配置され、該基礎梁の上に波鋼板が該基礎梁に沿って略垂直に設けられ、該波鋼板の端部近傍には該連結部材の第一取付部が連結・固定されている。
【００２１】
前記連結部材の第一取付部は傾斜部と屈曲してつながり、該前記連結部材の第二取付部は該傾斜部と屈曲してつながり、該第一取付部と該第二取付部は略平行になっている。
【００２２】
前記基礎梁をＨ形鋼で形成し、該Ｈ形鋼のウエブと第一取付部とをスチフナーを介して連結してもよい。
【００２３】
前記基礎梁をＨ形鋼で形成し、該Ｈ形鋼のウエブの両側にコンクリートを打設してもよい。
【００２４】
前記基礎梁又は前記スチフナーをアンカーボルトで基礎に固定してもよい。
【００２５】
【発明の実施の形態】
図１はこの発明の第一の実施の形態に係る波鋼板壁用基礎の斜視図、図２はこの発明の第一の実施の形態に係る波鋼板壁用基礎の側面図である。これらの図において、１０は略水平に設けられた基礎梁であり、基礎梁１０の上にはＬ形鋼１２を介して波鋼板１４が基礎梁１０の長手方向に沿って略垂直に設けられている。基礎梁１０と波鋼板１４とは複数本の連結部材１６によって連結されている。
【００２６】
基礎梁１０はＨ形鋼からなり、ウエブが垂直に、フランジが水平になった状態で設けられている。波鋼板１４はデッキプレートからなり、連結部材１６は断面略コ字状の溝形鋼からなる。
【００２７】
連結部材１６は中央に位置する傾斜部１８と、傾斜部１８の一方の端部の先に延長形成された第一取付部２０と、傾斜部１８の他方の端部の先に延長形成された第二取付部２２とからなり、第一取付部２０と第二取付部２２とは略平行になっている。
【００２８】
連結部材１６は開口部を外側に向けた状態で基礎梁１０及び波鋼板１４を介して千鳥状に設けられている。第一取付部２０は基礎梁１０のフランジの端部に隅肉溶接にて連結・固定され、第二取付部２２は波鋼板１４の下端部近傍にボルト・ナット２４で連結・固定されている。基礎梁１０はアンカーボルト２６で基礎に固定されている。
【００２９】
Ｌ形鋼１２は波鋼板１４の高さが足りない場合等における高さ調節用のスペーサとしての役割や、雨水が侵入するおそれが有る場合の雨水侵入防止の役割を持っている。
【００３０】
なお、連結部材１６に基礎梁１０のフランジの端部との間で大きな剥離力（矢印Ａ）がかかるおそれがある場合は、図３に示すように、基礎梁１０と連結部材１６の間にスチフナー２８を取り付けてもよい。また、連結部材１６に更に大きな剥離力がかかるおそれが有る場合は、図４に示すように、基礎梁１０と連結部材１６の間に大きなスチフナー２８を取り付けてもよい。また、図５に示すように、基礎梁１０のウエブの両側にコンクリート３０を充填してもよい。
【００３１】
波鋼板１４が基礎梁１０に伝える力は、風荷重による基礎梁１０との剥離力、風や地震による波鋼板１４面内、面外の横力である。更に、豪雪地帯において道路、橋梁に設置されるスノーシェルターとして使用する場合はシェルターの片側に積雪して、偏荷重となり、横方向の力がかかる。
【００３２】
剥離力又は積雪による横方向の力は、波鋼板１４と連結部材１６とを結合するボルト・ナット２４、基礎梁１０と連結部材１６との溶接により基礎梁１０に伝達される。基礎梁１０にスチフナー２８を設け、スチフナー２８と連結部材１６のフランジを溶接することで更に剥離力等に抵抗できる。
【００３３】
面外の横力はこれに見合った曲げ剛性をもつ連結部材１６の選定、基礎梁１０と連結部材１６のスチフナー２８による補強連結、基礎梁１０の断面の選定により十分抵抗できる。面内の横力はこの様な基礎ユニットを使用すれば十分地盤に伝達できる。
【００３４】
連結部材の下部を広げて下広がりの幅広の構造とし、波鋼板と連結部材の第二取付部との結合箇所、連結部材の第一取付部と基礎梁の下フランジとの結合箇所、千鳥に向かい合っている他の連結部材の第一取付部と基礎梁の下フランジとの結合箇所、の３結合箇所で三角形状のトラス構造を形成しているので、従来のものと比べ、横からの応力に対して、より耐えることができる。
【００３５】
また、千鳥に並んでいる２列の連結部材の大きさや板厚を変更して強度を上げることで、基礎梁の大きさを変更せず、独立して横方向の応力の増大に対抗できる。
【００３６】
【発明の効果】
この発明は、波鋼板壁用基礎を構成している部材が基礎梁と連結部材のみであり、しかも、基礎梁と連結部材との溶接箇所は少なく、溶接も簡単な隅肉溶接のみなので、従来のものと比べて波鋼板壁用基礎の製作が容易であり、従って、波鋼板壁用基礎を従来のものより低コストで製作できるという効果がある。
【００３７】
また、基礎梁の大きさは波鋼板壁に作用する力により変える必要があるが、この発明は連結部材を折り曲げて、波鋼板壁の波の高さと基礎梁の幅に見合う様にすることができるので、設計から要求される寸法の基礎梁を選択して使用することができるという効果がある。
【００３８】
また、この発明に係る波鋼板壁用基礎は、そのままコンクリートに埋設した場合、連結部材により基礎梁とコンクリートが一体となるという効果がある。
【００３９】
また、この発明に係る波鋼板壁用基礎は、連結部材で基礎梁のスチフナーを兼ねることができるので、場合によっては基礎梁のスチフナーが省略でき、従って、一般的な基礎梁に比べて部材数が少なくて済むという効果がある。
【図面の簡単な説明】
【図１】この発明の第一の実施の形態に係る波鋼板壁用基礎の斜視図である。
【図２】この発明の第一の実施の形態に係る波鋼板壁用基礎の側面図である。
【図３】この発明の第二の実施の形態に係る波鋼板壁用基礎の側面図である。
【図４】この発明の第三の実施の形態に係る波鋼板壁用基礎の側面図である。
【図５】この発明の第四の実施の形態に係る波鋼板壁用基礎の側面図である。
【図６】従来の波鋼板壁用基礎の一例の斜視図である。
【図７】従来の波鋼板壁用基礎の他の例の斜視図である。
【図８】図７の波鋼板壁用基礎の側面図である。
【図９】図７の波鋼板壁用基礎の変形例の側面図である。
【図１０】従来の波鋼板壁用基礎の他の例の斜視図である。
【図１１】図１０の波鋼板壁用基礎の側面図である。
【符号の説明】
１０  基礎梁
１２  Ｌ形鋼
１４  波鋼板
１６  連結部材
１８  傾斜部
２０  第一取付部
２２  第二取付部
２４  ボルト・ナット
２６  アンカーボルト
２８  スチフナー
【図１】
2004225238.tif 000003
【図２】
2004225238.tif 000004
【図３】
2004225238.tif 000005
【図４】
2004225238.tif 000006
【図５】
2004225238.tif 000007
【図６】
2004225238.tif 000008
【図７】
2004225238.tif 000009
【図８】
2004225238.tif 000010
【図９】
2004225238.tif 000011
【図１０】
2004225238.tif 000012
【図１１】
2004225238.tif 000013